(57)【要約】【課題】ゴルフを練習またはプレイするとき、正しいスイング姿勢の維持および／または矯正によって、スイングの際にクラブヘッドを最大限加速させるうえ、良い方向性を維持させ、クラブヘッドをボールに対して正確に直角でインパクトさせることにより、飛距離を画期的にアップさせることができるように改善されたゴルフグローブの提供。【解決手段】着用者の指を収め且つ手を包む本体部１１０と、前記本体部１１０に内蔵されて弾性力を与え、前記本体部を手に密着させる絞り手段１２０と、両端部のうち少なくとも一方が前記本体部１１０から分離でき、少なくとも一つの連結手段によって前記本体部１１０の甲部位にさらに連結される帯状の掛け手段１０とを含み、前記掛け手段１０は、ゴルフクラブのグリップの後端に掛けて使用するように構成されることを特徴とする、ゴルフグローブを提供する。【選択図】図１
2006026414.tif 000002
【特許請求の範囲】
【請求項１】
ゴルフを練習またはプレイするときに着用するゴルフグローブにおいて、
着用者の指を収め且つ手を包む本体部と、
前記本体部に内蔵されて弾性力を与え、前記本体部を手に密着させる絞り手段と、
両端部のうち少なくとも一方が前記本体部から分離でき、少なくとも一つの連結手段によって前記本体部の甲部位にさらに連結される帯状の掛け手段とを含み、
前記掛け手段は、ゴルフクラブのグリップの後端に掛けて使用するように構成されることを特徴とする、ゴルフスイング姿勢の維持および／または矯正のためのゴルフグローブ。
【請求項２】
前記連結手段は、雌、雄の面ファスナーからなることを特徴とする、請求項１に記載のゴルフスイング姿勢の維持および／または矯正のためのゴルフグローブ。
【請求項３】
前記掛け手段は、一定の弾性力を有することを特徴とする、請求項１に記載のゴルフスイング姿勢の維持および／または矯正のためのゴルフグローブ。
【請求項４】
前記掛け手段は、その一端部が前記本体部の一側に縫着され、他端部は前記連結手段によってゴルファーが着用の際に固定するように構成されることにより、その長さが調節可能であることを特徴とする、請求項１に記載のゴルフスイング姿勢の維持および／または矯正のためのゴルフグローブ。
【発明の詳細な説明】
【技術分野】
【０００１】
本発明は、ゴルフスイングの姿勢を矯正するためのゴルフグローブに係り、より詳しくは、ゴルフを練習またはプレイするとき、正しいスイング姿勢の維持および／または矯正によって、スイングの際にクラブヘッドを最大限加速させるうえ、良い方向性を維持させ、クラブヘッドをボールに対して正確に直角でインパクトさせることにより、飛距離を画期的にアップさせることができるように改善されたゴルフグローブに関する。
【背景技術】
【０００２】
一般に、ゴルフは、打ち方やゴルフクラブの把持姿勢、スイング方法などが様々であって、初歩者が多くの姿勢と方法を短時間に覚えるには時間的且つ経済的に無理がある。
【０００３】
特に、ゴルフクラブを把持する姿勢が多様なので、初歩者の場合は、初期には正しい姿勢を覚え難く、熟練者の場合も、初めからの間違った姿勢が身に付くと、追って正しい姿勢に矯正することは容易なことではない。
【０００４】
また、人によってそれぞれ体形または姿勢が異なるから、ゴルフクラブのグリップを把持する方向または姿勢が様々である。このため、自分の体形に合う姿勢を短時間に容易に覚えて熟達する人があれば、熟達のために長期間にわたって練習を行わなければならない人もある。熟達したゴルファーでも、悪い姿勢により、能率がよく上がらないか或いは進展が遅く、姿勢も一定に維持できず、随時姿勢を変えながらへどもどして効果的なゴルフを打つことができない場合がある。
【０００５】
ゴルファーに取って、スイングの姿勢は非常に重要である。このようなスイング姿勢は、打球の正確度および飛距離に大きい影響を与える。特に、打球の飛距離は、バックスイングの大きさとクラブヘッドのスイング速度によって決められる。すなわち、ボールを打つ瞬間、バックスイングの大きさが大きくてクラブヘッドのスイング速度が速いほど、正確なクラブヘッドのスイートスポット(sweet spot)で打撃が行われると、ボールは遠く飛んでいく。
【０００６】
より遠く、かつ本人が所望するところに正確にボールを送るには、ボールを打つための最初段階であるバックスイングが相当重要である。右手利きの場合、理想的なバックスイング姿勢では、左手の甲が甲側または平側に曲がらず左腕と一直線をなすと同時に、クラブは目標線と平行をなすべきである。
【０００７】
一方、飛距離のアップを図るために手首をコッキング(cocking)するとき、正常的な場合、左手の甲が左腕と一直線をなした状態で手首が折れるべきであるが、手首が甲側または平側に折れることにより、コッキングの効果が低下しかつ正確なインパクトが行われないため、ミスシャットの原因となる。
【０００８】
また、バックスイングの最終段階で、ゴルフクラブは、目標線と平行をなさなければならないが、大部分はアマチュアであり、あるいはひいては熟練者であっても、バックスイングの頂点部分でゴルファーの左腕が肘部分で曲がり且つゴルフクラブが平行線を過ぎて過度に超えるオーバースイング状態を頻繁にもたらす。このような過度なオーバースイングは、不正確なインパクトをもたらしてミスシャットと飛距離の損失を生じさせる。
【０００９】
一方、一般的な従来のゴルフグローブ１００は、図１０の（ａ）に示すように、着用者の指を収め且つ手を包む本体部１１０を有し、前記本体部１１０の甲部分には絞り手段１２０を備える。前記絞り手段１２０は、弾性力のある材料からなることにより、手への着用の際に前記本体部１１０を手に密着させる構造である。
図１０の（ｂ）に示すように、従来のゴルフグローブ１００は、本体部１１０の一側に切開部１３０を形成し、前記切開部１３０の一側に設けられた蓋１３２の内側部位とゴルフグローブ１００の甲部位には雄、雌の面ファスナー（ベルクロ）１４０を形成することにより、前記蓋１３２を引っ張って手首を締め付ける状態でゴルフグローブ１００をゴルファーの手に密着させる構造である。
【００１０】
このような従来のゴルフグローブ１００をはめ、ゴルファーが正しい姿勢で能率的にゴルフを打つためには、ゴルフグローブ１００をはめた左手によってクラブのグリップを正しく把持しなければならないうえ、ゴルファーが手とクラブとの一体感を感じながら正しいバックスイングとダウンスイングを行うことにより、スイング姿勢を乱すことなく、打球を所望の方向に送らなければならない。しかし、従来のゴルフグローブ１００は、クラブのグリップとの一体感を感じ易いように出来ている構造ではないため、安定したスイングをなすのにあまり役に立たない。これにより、従来のゴルフグローブを使用するゴルファーが常時不規則で不安定なスイング姿勢を繰り返すことになり、飛距離も所望の通りによく調節されないという不具合があった。
【発明の開示】
【発明が解決しようとする課題】
【００１１】
そこで、本発明はこのような問題点に鑑みてなされたもので、その目的とするところは、ゴルフを練習またはプレイするとき、正しいスイング姿勢の維持および／または矯正によって、スイングの際にクラブヘッドを最大限加速させるうえ、良い方向性を維持させ、クラブヘッドをボールに対して正確に直角でインパクトさせることにより、飛距離を画期的にアップさせることができるように改善されたゴルフグローブを提供することにある。
【課題を解決するための手段】
【００１２】
前記課題を解決するための本発明のゴルフグローブは、着用者の指を収め且つ手を包む本体部と、前記本体部に内蔵されて弾性力を与え、前記本体部を手に密着させる絞り手段と、両端部のうち少なくとも一方が前記本体部から分離でき、少なくとも一つの連結手段によって前記本体部の甲部位にさらに連結される帯状の掛け手段とを含み、前記掛け手段は、ゴルフクラブのグリップの後端に掛けて使用することにより、ゴルフスイング姿勢の維持および／または矯正する。
【００１３】
また、前記連結手段は、雌、雄の面ファスナーからなることを特徴とする。
【００１４】
また、前記掛け手段は、一定の弾性力を有することを特徴とする。
【００１５】
また、前記掛け手段は、その一端部が前記本体部の一側に縫着され、他端部は前記連結手段によってゴルファーが着用の際に固定するように構成されることにより、その長さが調節可能である。
【発明の効果】
【００１６】
本発明によれば、ゴルフを練習またはプレイするとき、掛け手段を介して左手とゴルフクラブのグリップの後端とを連結して一体感を形成し、このような一体感をバックスイングまたはダウンスイングの際に常時感じさせることができるため、安定したバックスイング、ダウンスイング、インパクト、フォロースルーおよびフィニッシュといった順で行われるスイングの姿勢を正確かつ安定に維持することができる。
【００１７】
したがって、本発明によれば、正しいスイング姿勢を取り、容易に姿勢の矯正によってダウンスイングの際にクラブヘッドを最大限加速させ、クラブヘッドをスクェア状態でボールに対して正確にインパクトさせることができるので、良い方向性を維持することができるうえ、所望の地点のボール着地を容易にし、飛距離を画期的にアップさせることができるという効果が得られる。
【発明を実施するための最良の形態】
【００１８】
以下に添付図面を参照しながら、本発明について詳細に説明する。
【００１９】
本発明に係るゴルフグローブ１は、図１に示すように、ゴルフを練習またはプレイするときに着用するものである。本発明に係るゴルフグローブ１は、着用者の指を収め且つ手を包む本体部１１０を備える。前記本体部１１０は、皮革、布または合成樹脂皮革などの通常のゴルフグローブ材料で出来たものである。
【００２０】
前記本体部１１０には、ゴルフグローブを手に着用する際に密着させるように弾性締付力を与える絞り手段１２０が備えられる。この絞り手段１２０は、本体部１１０の内側に縫着されたゴムバンドなどからなる。よって、ゴルファーがゴルフグローブを着用すると、前記絞り手段１２０のゴムバンドは、多少伸びた状態からその弾性復元力によってゴルファーの手に本体部１１０を密着させて着用感および一体感を良くするものである。
【００２１】
また、本発明に係るゴルフグローブ１は、前記本体部１１０の一側に設けられる帯状の掛け手段１０を含む。本発明に係るゴルフグローブ１は、クラブをアドレスした後、前記掛け手段１０をクラブ１５のグリップの後端２０に掛けてゴルフスイングを行うように構成されたものである。
【００２２】
すなわち、前記掛け手段１０は、ゴルフグローブの本体部に付着して閉回路を構成するＵ字状の帯であって、その両側端部が前記本体部１１０の一側に、好ましくは甲部分に返し縫いによって縫着されることにより、前記本体部１１０の一側にＵ字状をなすように構成されたものである。
【００２３】
このような本発明に係るゴルフグローブ１は、図２ａ及び図２ｂに示すように、ゴルファーが手に着用し、前記掛け手段１０をクラブ１５のグリップの後端２０に掛けてぴんとした状態に維持させた後、クラブ１５を正常的にスクェア状態にアドレスする。
【００２４】
前記掛け手段１０が、一定の弾性力を持つ弾性材料の帯からなる場合、このようなアドレスの後、ゴルファーは、ゴルフグローブ１とクラブ１５のグリップ部分が掛け手段１０によって多少緊張した状態で連結されるため、左手がクラブ１５のグリップにさらに一体化する感じを確実に受けるのである。
【００２５】
この過程において、本発明は、ゴルファーが正確なグリップ位置でクラブのグリップを把持して正しいアドレスを成すことができるようにする。すなわち、図２ａ及び図２ｂに示すように、前記掛け手段１０をグリップの端部２０に掛け、左手でグリップを楽に把持すると、グリップの正確な位置にゴルファーの左手がくる。
【００２６】
もし前記掛け手段１０の長さ（または、大きさ）が、前もってゴルファーの手に合わせられている場合であれば、このような掛け手段１０によって、グリップを把持する位置が常時一定になり、この位置で正確なアドレスを成すことができるようにする。
【００２７】
一方、本発明は、図３ａ〜図３ｃに示すように、本体部１１０の一側に切開部１３０を備え、前記切開部１３０の一側に設けられた蓋１３２の外側部位と本体部１１０の甲の内側部位に雌、雄の面ファスナー３０を形成し、前記本体部１１０の甲部分を蓋１３２の上部に引っ張って手首を締め付ける状態でゴルフグローブ１をゴルファーの手に密着させる。
【００２８】
前記掛け手段１０は、本体部１１０の手の甲部分にその両端が固定される構造を持つ。
【００２９】
上述したように、本発明は、ゴルファーの着用の際、切開部１３０によって容易に着用することができるとともに、面ファスナー３０によって前記本体部１１０の甲部分を蓋１３２の上部に引っ張って付着させることにより、手首を締め付ける状態で着用することができる。図３ｃに示すように、掛け手段１０をゴルフクラブ１５のグリップの後端２０に掛けてぴんとした状態に維持させた後、ゴルフクラブ１５を正常的にスクェア状態にアドレスする。
【００３０】
このような構造は、切開部１３０に設けられた蓋１３２の外側部位と本体部１１０の甲の内側部位に雌、雄の面ファスナー３０が形成されているため、ゴルファーの手が大きいあるいは小さい場合にも、容易にゴルフグローブ１を着用することができる。
【００３１】
本体部１１０の甲部分を切開部１３０側に引っ張って手首を締め付ける状態でゴルフグローブ１を絞ることができ、面ファスナー３０の接着部分が外部に露出しないため本体部１１０の外観がシンプルであり、掛け手段１０をグリップの後端２０に容易に掛けることができる。
【００３２】
本発明のゴルフグローブは、掛け手段１０の一端または両端が本体部１１０から分離可能に構成することにより、予めユーザの手の大きさなどに合わせて調節する必要を無くすことができる。
【００３３】
図４ａおよび図４ｂは本発明の別の変形構造を示す。この変形構造は、前記掛け手段１０の長さを調節することが可能なものであって、着用者の指を収め且つ手を包む本体部１１０を有し、前記本体部１１０の甲部分には絞り手段１２０を備え、本体部１１０の一側には切開部１３０を形成し、前記切開部１３０の一側に設けられた蓋１３２の内側部位とゴルフグローブの甲部位には雄、雌の面ファスナー３０を形成することにより、前記切開部１３０を引っ張って手首を締め付ける状態でゴルフグローブ１をゴルファーの手に密着させる構造である。
【００３４】
前記掛け手段１０は、Ｕ字状の帯からなるもので、その一端部は前記本体部１１０の一側に返し縫い１０ａなどで縫着され、他端部は連結手段４０によってゴルファーが着用の際に固定するように構成されたものである。
【００３５】
すなわち、図４ａに示すように、前記連結手段４０は、本体部１１０の甲部分の外側に雌(female)または雄(male)の面ファスナー３０を形成し、その反対側の掛け手段１０には雄または雌の面ファスナー３０を形成することにより、使用の際にこれらを連結すると、図４ｂに示すように、前記本体部１１０の一側にＵ字状を成すように構成されたものである。
【００３６】
前記のような構造において、前記掛け手段１０は、本体部１１０に連結される地点が甲部分の上部あるいは下部であり、連結手段４０が形成される地点もその反対の本体部１１０の甲部分の下部あるいは上部である。
【００３７】
また、前記連結手段４０は、雌、雄の面ファスナー３０からなっているが、他の変形構造、例えば掛け手段１０には孔（図示せず）を形成し、本体部１１０にはフック（図示せず）を形成することにより、フックを孔に挿入して連結する構造などに変形可能である。このように、前記連結手段４０は当業界で使用される様々なものに変形可能であるが、本発明は、このような変形構造を全て含む。
【００３８】
図４ａおよび図４ｂに示されている構造では、ゴルファーが本発明のゴルフグローブ１を着用するに際して、前記蓋１３２の内側部位とゴルフグローブの甲部位に設けられた雌、雄の面ファスナー３０を用いて前記蓋１３２を甲部位に引っ張って手首を締め付ける状態で手に着用した後、掛け手段１０をグリップの後端２０に回して掛け、その開放端部を本体部１１０に引っ張って連結させる構造である。
【００３９】
このような構造では、ゴルファーが手の大きさあるいはゴルフグローブの大きさなどによる掛け手段１０の長さ偏差部分を、本発明のゴルフグローブ１の使用の際に直ちに調節して最適の長さに維持させた状態で掛け手段１０を介して左手とクラブ１５のグリップの後端２０を連結して一体感を形成する。
本発明の他の実施例によれば、前記本体部の甲部分に掛け手段が分離可能に形成されている。
【００４０】
図５ａは本発明に係る掛け手段が分離されたゴルフグローブを示す外観斜視図、図５ｂは図５ａに示した掛け手段の使用状態図である。
【００４１】
図５ａおよび図５ｂを参照すると、本発明の他の実施例に係るゴルフグローブ１００は、掛け手段２００と分離されている。ゴルフグローブ１００は、前記本体部１２０の甲部分１３０に掛け手段２００との連結手段３００を含む。ゴルフグローブ１００と分離された掛け手段２００は、ゴルフグローブ１００の連結手段３００に対応し、結合可能な連結手段２１０を両端部に有する。
【００４２】
図６ａは本発明の他の実施例に係る掛け手段が分離されたゴルフグローブの変形例を示す外観斜視図、図６ｂは図６ａに示した掛け手段の使用状態図である。
【００４３】
図６ａおよび図６ｂのゴルフグローブ１００は、本体部１２０の甲部分１３０が開口され、この開口された部分に蓋１５０を設けて甲部分１３０の対向する連結手段１３１に結合できるようにすることで、ユーザの手の大きさを問わずに手に最大限密着するようにする。図６ａおよび図６ｂの実施例において、掛け手段２００は、前記本体部１２０の甲部分１３０から分離可能である。
【００４４】
以上、全般的に左手利きのユーザのために図示し説明したが、右手利きの場合にも同様の方法で適用して実現することができる。
【００４５】
上述のように構成された本発明のゴルフグローブは、使用者が着用後にアドレスし、バックスイングおよびダウンスイングをしてシャットを行うと、下記の様々で優れた効果を得ることができる。以下、図７〜図９ｄを参照して説明する。
【００４６】
１）掛け手段１０によってバックスイングとフィニッシュの際に左手の薬指と小指との間隔が広くなることを防止するため、左手がクラブ１５のグリップに密着してクラブと手との一体感を確実に受けることができることにより、ゴルファーはグリップを強く把持しなくてもよいため、バックスイングおよびダウンスイングの際に左手首の柔軟性を維持ことができる。
【００４７】
２）バックスイングの際に頂点(top)部分に図７の２点鎖線で示したように、クラブのグリップを把持したゴルファーの手の内部でクラブヘッドの重量によってグリップの端部が押し上げられ、クラブヘッドが下方に垂れる現象が発生し、クラブが全体的に目標物を向かって水平に維持できないという問題点が解消される。
【００４８】
３）バックスイングの際にゴルファーの左手とクラブのグリップとの一体感を感ずることができ、左手首の柔軟性を維持することができ、頂点部分ではクラブ１５のグリップの後端２０が掛け手段１０によって上方に押し上げられる現象が防止されることにより、自然にクラブが目標物を向かって水平に維持されながら姿勢が安定されるようにする。
したがって、ゴルファーは、図７に破線で示したように、バックスイングの際に左腕の曲がりを防止して過度なオーバースイングが行われないようにするのは勿論のこと、左手が左腕に対して一直線をなさずに折れながらクラブが目標物を向かわないようにすることを防止し、安定したバックスイング姿勢を維持し、楽なダウンスイングに繋がるようにする。
【００４９】
４）本発明は、手首の柔軟性の維持によりバックスイングの際に肩に入る過度な力を減少させることにより、柔軟性の維持による一定のバックスイング状態を常に保持し、楽なダウンスイングに繋がるようにすることができる。
【００５０】
５）バックスイングの際、左腕曲がりの防止および手首折れの防止によって常に一定のバックスイングの頂点高さを維持することができ、より安定且つきれいなバックスイングを保障することができる。
【００５１】
６）初歩者から最もよく見られる間違いの一つ、すなわちバックスイングの際にグリップに段々力が入りながらクラブヘッドをあまり内側に引っ張る間違いを防止することにより、非常にフラット(flat)なスイングが出ないようにする。これにより、インツーアウト(in-to-out)スイングが行われることを防止し、正確なスイングの平面を保つように助ける。
【００５２】
７）本発明は、掛け手段１０によってゴルファーの左手とクラブのグリップを固定させて一体感を感じさせることにより、手首の過度な動き防止でバックスイングの際に誘発されるクラブフェースが閉鎖される動作を防止してよりクラブフェースがボールにスクェア(square)的に接近することができるようにし、プルシャット(pull shot)またはフック(hook)性の球質が発生することを防止する。
【００５３】
８）バックスイングの際に手首の柔軟性と掛け手段１０のグリップの引っ張りによる圧迫感によってオーバースイングを防止することができるので、上体の力を抜くことができ、それによる下体の揺れを最小化してより強力なシャットを飛ばすことができるように助ける。
それだけでなく、本発明は、多くのゴルファーの問題点である早期打撃(early hit)あるいはキャスティング(casting)と呼ばれる問題点を困難なく一時に矯正することができる。
すなわち、本発明は、インパクトの前には、右手首の外側角度が解除され、クラブと左腕が殆ど一直線を形成し、インパクトの際には、両手の杓子状の姿勢、すなわち両手がボールと同一の位置あるいはその後ろにあり、インパクトの後には左手首がリリースされながら右手が左手の上を自然に覆うことを可能にすることにより、正確なインパクトが行われるようにする。
また、大部分のアマチュアゴルファーは、ウッドクラブは比較的よく打つが、これに対し、アイアンクラブはグリップが堅固ではなく、ディボット(Divot)もつけないシャットを作る。ゴルファーがこのような問題を経験していると、早期リリース(early release)していると判断することができる。ウッドシャットの場合は、ボールを掃きだしていくため、このような早期リリースの問題が激しく表出されないこともあるが、軽快で正確なアイアンシャットをするためには、インパクトの際に左手首がクラブヘッドより先に存在しなければならない。
本発明は、このような全ての問題を解決することができる。これは、よりリリースを遅延させてレイトヒッティング(late hitting)が行われるようにし、激しいインパクトを可能にする。
【００５４】
９）本発明は、アイアンクラブのダウンスイングの際、掛け手段１０によってゴルファーの左手とクラブのグリップ部分とが連結されて一体感を与えながら降りてくるため、キャスティング（手首が早めにリリースされる現象）の防止によりパワーが増大し、堅固なインパクトがなされてボールの打撃後に確実にディボットを形成し、正確な弾道のアイアンシャットの球質を得ることができる。
【００５５】
１０）本発明は、ゴルファーのインパクト後、フォロースルー状況で前記掛け手段１０がインパクト後にもグリップの後端に掛けられた状態でゴルファーの左手とクラブは一体感を与えるため、左手の過度な動きを防止することができる。したがって、適合な手首の様子を作って常に一定且つ綺麗なフィニッシュを維持し、ボールの球質が過度なフック(hook)またはスライス(slice)に変わることを防止する。
また、本発明は、上体の力が抜けると、頭と肩を柔軟にして回転を促進させることにより、脊髄が容易に回転することができ、正しい体重移動を行うことができるように助けることで、柔軟性の維持により一定のフィニッシュを維持することができる。
【００５６】
１１）正しいバックスイングの姿勢から安定なスイング平面(swing plane)に沿って動く腕の正しいスイングは、右腕への負担を減らし、正しい右腕の様子を保つようにし、一層安定的な動作を行うことができるように助ける。
【００５７】
１２）本発明は、バックスイング状態からダウンスイングを開始すると、掛け手段１０がグリップの後端２０に掛けられた状態でゴルファーの左手とクラブは一体感を与えながら降りてくるため、手首の固定により、腕を用いたダウンスイングを防ぎ、ゴルファーの身体を用いた回転を自然に誘導し、これにより自然なインツーイン(In-to-In)スイングを誘導し、クラブフェースの閉鎖現象を著しく減らすことができる。
【００５８】
１３）初級者から最も多く見られるプッシュあるいはスライス現象の打球球質を防止する。これは、ゴルファーがダウンスイングしてクラブを降ろすとき、掛け手段１０によってゴルファーの左手とクラブは一体感を与えながら降りてくるため、グリップを無理に把持する必要がなく、これによりコッキングを維持するための手首の過度な力を抜いてインパクトし、自然にリリースすることができる。これにより、ボールが右の方に押し付けられるプッシュあるいはスライス現象を最小化してより遠く且つ正しく飛ばすことができるように助ける。
【００５９】
１４）このように、本発明は、ゴルファーが正確なバックスイング、ダウンスイング、インパクト、フォロースルー、フィニッシュなどに正しい姿勢で臨むことができるため、より正確な打撃が可能であり、所望の着地地点にボールを飛ばすことができ、これにより飛距離をアップさせることができる。
以上では、本発明の好適な実施例について図示し説明したが、本発明は、上述した特定の実施例に限らず、請求範囲で請求する本発明の要旨から逸脱しない範囲内で、本発明の属する技術分野における通常の知識を有した者により、多様に変形・実施が可能である。このような変形・実施は、本発明の技術的思想や展望から個別的に理解してはならない。
【図面の簡単な説明】
【００６０】
【図１】本発明の一実施例に係るゴルフグローブを示す外観斜視図である。
【図２ａ】本発明に係るゴルフグローブの着用状態図である。
【図２ｂ】本発明に係るゴルフグローブの着用状態図である。
【図３ａ】図１に示したゴルフグローブの変形例を示す外観斜視図である。
【図３ｂ】図３ａに示した変形例の内部構造を示す斜視図である。
【図３ｃ】図３ａに示した変形例の使用状態図である。
【図４ａ】図１に示したゴルフグローブの別の変形例を示す外観斜視図である。
【図４ｂ】図４ａに示した掛け手段の使用状態図である。
【図５ａ】本発明の他の実施例に係る、掛け手段が分離されたゴルフグローブを示す外観斜視図である。
【図５ｂ】図５ａに示した掛け手段の使用状態図である。
【図６ａ】図５ａに示した、掛け手段が分離されたゴルフグローブの変形例を示す外観斜視図である。
【図６ｂ】図６ａに示した掛け手段の使用状態図である。
【図７】本発明に係るゴルフグローブを用いたバックスイング時の使用状態図である。
【図８】本発明に係るゴルフグローブを用いたバックスイッチング時のバックスイング頂点における使用状態図である。
【図９ａ】本発明に係るゴルフグローブを用いたダウンスイング時の順次的な使用状態図である。
【図９ｂ】本発明に係るゴルフグローブを用いたダウンスイング時の順次的な使用状態図である。
【図９ｃ】本発明に係るゴルフグローブを用いたダウンスイング時の順次的な使用状態図である。
【図９ｄ】本発明に係るゴルフグローブを用いたダウンスイング時の順次的な使用状態図である。
【図１０】従来の技術に係るゴルフグローブの構成図である。
【符号の説明】
【００６１】
１  ゴルフグローブ
１０  掛け手段
１５  ゴルフクラブ
２０  グリップの後端
３０  面ファスナー
４０  連結手段
１００  ゴルフグローブ
１１０  本体部
１２０  絞り手段
１３０  切開部
１３２  蓋
１４０  面ファスナー
【図１】
2006026414.tif 000003
【図２ａ】
2006026414.tif 000004
【図２ｂ】
2006026414.tif 000005
【図３ａ】
2006026414.tif 000006
【図３ｂ】
2006026414.tif 000007
【図３ｃ】
2006026414.tif 000008
【図４ａ】
2006026414.tif 000009
【図４ｂ】
2006026414.tif 000010
【図５ａ】
2006026414.tif 000011
【図５ｂ】
2006026414.tif 000012
【図６ａ】
2006026414.tif 000013
【図６ｂ】
2006026414.tif 000014
【図７】
2006026414.tif 000015
【図８】
2006026414.tif 000016
【図９ａ】
2006026414.tif 000017
【図９ｂ】
2006026414.tif 000018
【図９ｃ】
2006026414.tif 000019
【図９ｄ】
2006026414.tif 000020
【図１０】
2006026414.tif 000021